(57)【要約】【課題】  構成が簡易で操作が容易であり安全な標的玩具を提供する。【解決手段】  表面に複数のスロープ部１３を立設し、中央にボール排出用の溝１９を設けた基台１０を構成し、この基台１０の周囲には周縁部１２を構成すると共に両側にボールの打出し機３０を取り付ける。前記基台１０の上端に、複数の駒５０をセットする穴２１を配置した上板２０を固定し、基台１０の両側部には、前記ボール排出用の溝１９から転がってきたボール５０を貯留するボールの受け台２８を構成する。【選択図】図１
0003125499.tif 000002
【実用新案登録請求の範囲】
【請求項１】
表面に複数のスロープ部を立設し、周囲に周縁部を構成した基台と、
標的をセットする穴を、前記スロープ部の位置に対応して設けた上板と、
前記基台の側部に取り付けたボールの打出し機からなり、
前記打出し機でボールを基台の表面に打ち出してスロープ部のスロープに沿って上昇させ、標的のガイドピンを押し上げて標的を上板より跳ね上げる標的玩具。
【請求項２】
前記基台の中央にボール排出用の溝を構成し、両側部にボールの受け台を構成することによって、打ち出されたボールを前記溝によってボールの受け台へと排出することを特徴とする請求項１記載の標的玩具。
【考案の詳細な説明】
【技術分野】
【０００１】
本考案は、子供が一人あるいは二人で遊べる安全な標的玩具に関するものである。
【背景技術】
【０００２】
従来より、特許文献１に示すような、弾の射出手段の向い側に立設した標的に向って弾を射出して、標的に当てて遊ぶ玩具があった。
【特許文献１】実開平５−４４１７８号
【０００３】
特許文献１に開示された考案の要部は、基台と、この基台の一側に立設される的表示板と、的の該的表示板に表示する的表示手段と、前記的表示板に向けて球状の弾を射出する射出手段と、この射出手段から射出された弾を回収して当該射出手段に供給する回収機構と、前記射出手段から射出され当該間隙に入った弾の位置を検出する検出手段と、弾の回収位置と的の位置に応じて射的結果を表示する結果表示手段とを具備していて、危険性が全く無くかつ従来の射的玩具と同様な感覚で遊べ、さらには標的が動くという従来の射的玩具には無いおもしろみを有する射的玩具を提供することを目的としている。
【０００４】
しかしながら、前記特許文献１に開示された考案は、構成が複雑であり発射ボタン及び照準レバーの操作によって砲身を操作し、スイッチ部によって２段階の難易度を変更できる等、子供の玩具としては操作も複雑なものであった。また、２人の子供が対戦して遊べるものではなかった。
【考案の開示】
【考案が解決しようとする課題】
【０００５】
本考案は、構成が簡易であり、簡単な操作で幅広い年齢層にわたって楽しむことができ、安全でボールの回収も効率よく行え、また一人でも二人でも遊ぶことのできる標的玩具を提供するものである。
【課題を解決するための手段】
【０００６】
本考案の要旨とするところは、表面に複数のスロープ部を立設し、周囲に周縁部を構成した基台と、標的をセットする穴を、前記スロープ部の位置に対応して設けた上板と、前記基台の側部に取り付けたボールの打出し機からなり、前記打出し機でボールを基台の表面に打ち出してスロープ部のスロープに沿って上昇させ、標的のガイドピンを押し上げて標的を上板より跳ね上げる標的玩具である。
【０００７】
また、本考案の要旨とするところは、前記基台の中央にボール排出用の溝を構成し、両側部にボールの受け台を構成することによって、打ち出されたボールを前記溝によってボールの受け台へと排出することを特徴とする標的玩具である。
【考案の効果】
【０００８】
本考案は上記の如き構成であるため、簡単な操作で幅広い年齢層にわたって射撃と同様の臨場感にあふれるゲームを安全に楽しむことができる。また、打ち出したボールがスロープを転がってガイドピンを押し上げ標的を跳ね上げるという、意表をついた動きをするため子供の興味を持続させる。さらには一人でも遊べるし、二人の子供が対戦して遊ぶことのできる等の効果を奏する。
【０００９】
また、打ち出されたボールは溝によって排出されボール受け台に貯留されるため、玩具の外に散逸せず、その回収も効率よく行えるのである。
【考案を実施するための最良の形態】
【００１０】
本考案を実施するための最良の形態は、表面に複数のスロープ部を立設し、中央にボール排出用の溝を設けた基台を構成し、この基台の周囲には周縁部を構成すると共に両側にボールの打出し機を取り付ける。
前記基台の上端に、標的である複数の駒をセットする穴を配置した上板を固定し、基台の両側部には、前記ボール排出用の溝から排出されてきたボールを貯留するボールの受け台を構成するものである。
【００１１】
以下、本考案の第１実施形態を図に基づいて説明する。
図１は第１実施形態の斜視図、図２は第１実施形態を説明する概略断面図、図３は基台とスロープ部の部分斜視図、図４は湾曲部の部分斜視図、図５は打出し機を２個に分割した正面図、図６及び図７は打出し機の作用説明図、図８は駒の斜視図である。
【００１２】
本実施形態の標的玩具は、図１に示すように長方形の短辺部分を湾曲した、いわゆるトラック型に構成した基台１０の上部に、標的となる複数の駒６０をセットできる透明な上板２０を取り付けてなる。そして、前記基台１０の短辺部分の両側には、ボール５０の打出し機３０を対向して設けている。次にこの構成を詳しく説明する。
【００１３】
基台１０は、上記のような形状であり底板１１の周縁に沿って所定高さの周縁部１２を構成して、底板１１と上板２０の間に空間を構成している。底板１１の表面には、複数のスロープ部１３を立設してあり、中央付近にはボール５０の排出用の溝１９を構成してある。符号２３は支柱である。
【００１４】
図３に示すように、前記スロープ部１３は柱状体であり、その高さは周縁部１２の高さよりわずかに低く設定されていて、底板１１上に自立してあるいは後述の湾曲部１２ａの内側に接して、中央の溝１９を対称に所定個数設けられている。
これらのスロープ部１３は、基台１０の中心に対向した面に、底板１１表面から上板２０の穴２１に向かってボール５０が転動できるための滑らかなスロープ１４を構成してある。
【００１５】
図４に示すように、前記周縁部１２の両側に設けた湾曲部１２ａの中央付近に孔１５を設け、かつその内側に打出し機３０を支持する断面Ｃ字形の湾曲部材１７を取り付けてある。また、前記湾曲部１２ａの下部外側にはボールの受け台２８を構成してある。符号１８はボール５０の排出孔である。
【００１６】
上板２０は前記周縁部１２の上端に着脱自在に取り付けられている。本実施形態では材質は透明であるが、これに限定されず半透明体など任意の材質を選択できる。
この上板２０には、表面に複数の穴２１，２１・・が穿設されている。この穴２１は駒６０のガイドピン６２を差し込んで、駒６０を上板２０上にセットするためのものである。
そして、穴２１の位置は、図２に示すように前記スロープ部１３のスロープ１４の上方に設けてある。
上板２０は、上記のように駒６０をセットできる機能を備えていればよいから、本実施形態のように全面板状に限らず中央部分を切り欠いた板でも良い。また板材に限らず、例えば網状のものなど駒６０を支持できる機能があればよい。
【００１７】
打出し機３０は、図５に示すように略Ｌ字型をしていて、内部に複数のボール５０を貯留しておく縦通路３１とボール５０が打出される横通路３５が構成されている。
前記縦通路３１側方にトリガー３２が軸３３によって回動自在に軸支されている。トリガー３２の上端は、打出し機３０表面より突出していて、下端は縦通路３１の下端に配置されている。このトリガー３２の下端にはバネ３４の一端が固定されていて、このバネ３４の他端は係止杆３４ａに固定されている。
【００１８】
また、打出し機３０の下端の横通路３５には、ボール５０のストッパ４０が構成されている。このストッパ４０は、端部を軸４３によって軸支され下方に付勢された支持板４１の先端に構成した上方の突起４２と、この突起４２に対向して横通路３５の底面に設けた下方の突起４４からなる。
打出し機３０の下端前方には支柱４６を垂設してある。
【００１９】
駒６０は、図８に示すように、キャラクター等を模した本体６１とその下部に取り付けたガイドピン６２からなる。このガイドピン６２は、上板２０の穴２１に挿入して駒６０を安定してセットすると共に、スロープ１４上を転動してきたボール５０が当たる部分である。
【００２０】
次に、本実施形態の作用について説明する。
まず図１のように、基台１０の上端に固定した上板２０の表面のすべての穴２１，２１・・に駒６０，６０・・をセットし、周縁部１２の両側の湾曲部１２ａに打出し機３０をセットする。この打出し機３０の内部には、上端の入口３１ａより適当数のボール５０を入れておく。
【００２１】
ゲームは、対戦者がそれぞれの打出し機３０を握りトリガー３２を引いて、ボール５０を出口３５ａより打ち出して行う。そして、ボール５０が相手側のスロープ部１３のスロープ１４の上を転動して駒６０のガイドピン６２の下端に当たりガイドピン６２を上に押し上げて、駒６０を穴２１から跳ね上げるのである。相手の駒６０を全部穴２１から外したほうが勝ちとなる。
【００２２】
このとき打出し機３０は、横通路３５の先端が底板１１上に載置され、支柱４６が湾曲部材１７に当接した状態であるため、打出し機３０は湾曲部材１７にガイドされて左右方向に回動可能である。
そのため、スロープ部１３に対してボール５０の照準がつけやすく、射撃をするような臨場感にあふれて興趣に尽きない。
【００２３】
次に、ボールの打出し時の動作について説明する。
打出し前の状態では、図６に示すようにボール５０は、打出し機３０の下端で、上方の突起４２と下方の突起４４に引っ掛かって前進を阻まれている。このとき、突起４２は下方に付勢されている状態でボール５０を上から押圧していて、突起４４はボール５０の回転を阻止している。
その後トリガー３２を引くと、トリガー３２の下端は軸３３を中心にバネ３４の弾発力に抗しながら前方（図６中左方向）に回動していき、ボール５０を前方へと押し出していく。
【００２４】
そして図７に示すように、ボール５０が下方に付勢されている突起４２の押圧力に打ち勝って突起４２を押し上げ、かつ突起４４をのり越えたときに、蓄積されていたトリガー３２の押し出す力によって、ボール５０は勢いよく前方へと打ち出されていく。
そのためボール５０は早いスピードでスロープ部１３に当たり、スロープ１４上を一気に転動して、ガイドピン６２を下から強く押すことができるのである。
【００２５】
その後、トリガー３２はバネ３４によって引き戻されて初期位置に復帰する。またボール５０は、溝１９に落ちて両側の排出孔１８からボール受け台２８へと回収される。
【００２６】
以上のゲームは、二人で対戦してもよく、１人で遊ぶこともできる。
この玩具は、上板２０によってボール５０が外に飛び出してくることを防いでいるため安全であると共にボールの散逸を防げ、かつボールの受け台２８に自動的に回収することができる。
打出し機３０の構造も単純であり、駒６０に対して照準をつけることが出来るうえにトリガー３２を引くという動作を伴うため、射撃の臨場感も味わえて子供にとっては興趣に尽きないものである。
【図面の簡単な説明】
【００２７】
【図１】本考案の第１実施形態の斜視図
【図２】本考案の第１実施形態を説明する概略断面図
【図３】本考案の第１実施形態の基台とスロープ部の部分斜視図
【図４】本考案の第１実施形態の湾曲部の部分斜視図
【図５】本考案の第１実施形態の打出し機を２個に分割した正面図
【図６】本考案の第１実施形態の打出し機の作用説明図
【図７】本考案の第１実施形態の打出し機の作用説明図
【図８】本考案の第１実施形態の駒の斜視図
【符号の説明】
【００２８】
１０  基台
１１  底板
１２  周縁部
１３  スロープ部
１４  スロープ
２０  上板
２１  穴
３０  打出し機
３１  縦通路
３２  トリガー
３４  バネ
３５  横通路
４０  ストッパ
５０  ボール
６０  駒（標的）
【図１】
0003125499.tif 000003
【図２】
0003125499.tif 000004
【図３】
0003125499.tif 000005
【図４】
0003125499.tif 000006
【図５】
0003125499.tif 000007
【図６】
0003125499.tif 000008
【図７】
0003125499.tif 000009
【図８】
0003125499.tif 000010